(57)【特許請求の範囲】
【請求項１】
基紙に設けられた折目線を介して葉書本体片と隠蔽用紙片とが連接され、前記隠蔽用紙片上に剥離剤層と、接着剤層と、上面に透明な粘着剤層を有する透明性シートと、剥離紙とが順次重ねられた隠蔽葉書であって、前記透明性シートの下面側の前記折目線側の側端縁部に、前記透明性シートの下面の一部と、前記隠蔽用紙片の上面の一部とを直接接着する第一強接着部が設けられると共に、前記透明性シートの下面側の前記折目線と対向する側端縁から前記折目線側に所定長さ寄った位置で、且つ、上端縁及び下端縁より内側に寄った位置に、前記透明性シートの下面の一部と、前記隠蔽用紙片の上面の一部とを直接接着する第二強接着部が設けられ、該第二強接着部の周縁に前記剥離剤層側から前記基紙の一部に達するハーフカットが施されていることを特徴とする隠蔽葉書。
【請求項２】
前記第二強接着部の周縁に施された前記ハーフカットで囲まれた領域内に前記第二強接着部を跨ぐ複数のハーフカットが斜めに形成されていることを特徴とする請求項１に記載の隠蔽葉書。
【発明の詳細な説明】
【技術分野】
【０００１】
本発明は、郵送された葉書が受取人に渡る前に、その葉書に記入された情報が第三者に盗み見されることを防止するために隠蔽状態で送れるようにした隠蔽葉書に関し、特に第三者に開封され盗み見された場合、その事実が明確に残り確認可能な隠蔽葉書に関するものである。
【背景技術】
【０００２】
従来、郵送された葉書に記載された内容が、受取人に渡る前の段階で、第三者に盗み見られないように工夫された隠蔽葉書が種々開発され、既に使用されている。これらの隠蔽葉書については、例えば、葉書サイズの略２倍の折畳み用紙を用いて折り用ミシン目を介し隠蔽片となる上片、情報を記入する葉書本体片となる下片からなる二折葉書において、葉書本体片に隠蔽用紙片を接着し隠蔽状態にされた葉書を受取人が、その葉書を受け取った後に、見開きできるように隠蔽片との間に透視できしかも層間が剥離可能に重合された接合材の両側に透明な粘着剤を有する透明シートなどを設けた情報隠蔽葉書作成用紙が知られている（例えば、特許文献１参照）。
【０００３】
特許文献１に開示された情報隠蔽葉書作成用紙は剥離紙と両側に透明な粘着剤層を有する透明シートを備えた構成からなり、葉書作成用紙に記入した内容を隠蔽状態にする際に、まず、最上位に設けられている剥離紙を剥離して、透明性シート上に設けられている粘着剤層を露出させる必要がある。ところが、このような従来の葉書作成用紙では、この剥離紙を剥離する際に、誤って剥離紙と共に透明性シートまで一緒に剥離させてしまうという不手際が生じることがある。この場合に、一旦透明性シートを剥離させてしまうと再度、葉書作成用紙の使用ができなくなり、新たな葉書作成用紙を使用しなければならなくなるという問題があった。そこで、剥離紙や、粘着剤層や剥離剤層を有する透明性シートを備えたこれらの葉書作成用紙において、使用者が、最上位に設けられている剥離紙を剥離する際に、その剥離紙の下位に備えられている透明性シートまで同時に剥離することがないように透明性シートの一部と隠蔽用紙片の一部とを直接接着する接着剤層を設けた葉書作成用紙が提案されている（例えば、特許文献２参照）。
【０００４】
特許文献１に開示された技術は、葉書の受取人が見開き状態に開封すると、透明性シートの層間が剥離可能に重合された接合材の層間で剥離されるものであり、特許文献２に開示された技術は、透明性シートの下側に設けられた剥離剤層と接着剤層との層間で剥離されるものである。しかしながら、いずれの技術も受取人が一旦、見開き状態に開封するとそれぞれの層間は再接着しない構成となっているものの開封された証拠が残らないために第三者に盗み見され、その後、接着剤等により再接着し元に戻すという悪戯をされる虞がある。
【特許文献１】特開平１０−２６４５５９号公報
【特許文献２】特開２００６−３５５４１号公報
【発明の開示】
【発明が解決しようとする課題】
【０００５】
本発明は、隠蔽用紙片上に透明性シートを備えた隠蔽葉書において、隠蔽状態の隠蔽葉書を第三者が開封すると開封された痕跡が明確に残り、セキュリティー性の優れた隠蔽葉書を提供する。
【課題を解決するための手段】
【０００６】
上記課題を解決するために、本発明の隠蔽葉書は、基紙に設けられた折目線を介して葉書本体片と隠蔽用紙片とが連接され、前記隠蔽用紙片上に剥離剤層と、接着剤層と、上面に透明な粘着剤層を有する透明性シートと、剥離紙とが順次重ねられた隠蔽葉書であって、前記透明性シートの下面側の前記折目線側の側端縁部に、前記透明性シートの下面の一部と、前記隠蔽用紙片の上面の一部とを直接接着する第一強接着部が設けられると共に、前記透明性シートの下面側の前記折目線と対向する側端縁から前記折目線側に所定長さ寄った位置で、且つ、上端縁及び下端縁より内側に寄った位置に、前記透明性シートの下面の一部と、前記隠蔽用紙片の上面の一部とを直接接着する第二強接着部が設けられ、該第二強接着部の周縁に前記剥離剤層側から前記基紙の一部に達するハーフカットが施されていることを特徴とするものである。
【０００７】
また、請求項２に記載の本発明は、請求項１記載の隠蔽葉書において、前記第二強接着部の周縁に施された前記ハーフカットで囲まれた領域内に前記第二強接着部を跨ぐ複数のハーフカットが斜めに形成されていることを特徴とするものである。
【発明の効果】
【０００８】
本発明の隠蔽葉書は、基紙に設けられた折目線を介して葉書本体片と隠蔽用紙片とが連接され、隠蔽用紙片上に剥離剤層と、接着剤層と、上面に透明な粘着剤層を有する透明性シートと、剥離紙とが順次重ねられた隠蔽葉書であって、透明性シートの下面側の折目線と対向する側端縁から折目線側に所定長さ寄った位置で、且つ、上端縁及び下端縁より内側に寄った位置に、透明性シートの下面の一部と、隠蔽用紙片の上面の一部とを直接接着する第二強接着部が設けられ、該第二強接着部の周縁に剥離剤層側から基紙の一部に達するハーフカットが施されている構成とすることにより、隠蔽状態の隠蔽葉書を開封すると強接着部が紙破れを引き起こし、開封したという痕跡が明確に残るために優れたセキュリティー性が得られる。さらに、ハーフカットを施すことにより、強接着部で引き起こされた紙破れ小片がハーフカットで囲まれた領域外にはみ出すことを防止する効果（以下、トラップ効果と呼称する）があり、葉書本体片に記入された情報が容易に読み取ることができる。
【０００９】
また、透明性シートの下面側の折目線側の側端縁部に、透明性シートの下面の一部と、隠蔽用紙片の上面の一部とを直接接着する第一強接着部を設けることにより、剥離剤層と接着剤層との層間で剥離できないために使用者が剥離紙を剥離する際に、誤って剥離紙と透明性シートまで同時に剥離させてしまう危険性がなく、安心して剥離ができるという効果がある。
【００１０】
また、請求項２記載の本発明は、第二強接着部の周縁に施されたハーフカットで囲まれた領域内に第二強接着部を跨ぐ複数のハーフカットが斜めに形成されていることにより、隠蔽状態の隠蔽葉書を開封した際の強接着部の紙破れ小片が斜めに形成されたハーフカットで途切れるために、より一層優れたトラップ効果が得られるものである。
【発明を実施するための最良の形態】
【００１１】
以下図面を用いて、本発明の実施形態について説明する。図１は本発明に係る隠蔽葉書の第一実施形態を示す斜視図、図２は図１のＸ−Ｘ線断面図、図３は図２の断面図において隠蔽用紙片の上に剥離剤層が設けられ、接着剤層が重ねられる前の状態を取り出し剥離剤層面から見た平面図であってハーフカットを説明するための説明図、図４は本発明に係る第一実施形態の隠蔽葉書の剥離紙の一部を剥離した状態を示す断面図、図５は本発明に係る第一実施形態の隠蔽葉書を接着して形成させた隠蔽葉書の断面図、図６は本発明に係る第一実施形態の隠蔽葉書を受取った受取人が隠蔽葉書を見開いた状態を説明するための断面図、図７は本発明に係る第一実施形態の隠蔽葉書を受取った受取人が隠蔽葉書を見開いた状態を説明するための斜視図、図８は本発明に係る隠蔽葉書の第二実施形態を示す斜視図、図９は図８のＸ−Ｘ線断面図である。図中の符号１、１’は隠蔽葉書、２は基紙、３は折目線、４、９は側端縁、５は上端縁、６は下端縁、７、８は角部、１０、１０’は葉書本体片、１１は情報記入欄、２０は隠蔽用紙片、２１は透明性シート、２２は剥離紙、２３は剥離剤層、２４は接着剤層、２５は粘着剤層、２６は第一強接着部、２７は第二強接着部、２８は第一ハーフカット、２９は第二ハーフカット、３０は上側用紙片、３１は複写層、３２はスポット接着部、３３は情報記入欄、ａは上端縁と第二強接着部との間隔、ｂは下端縁と第二強接着部との間隔、αは凹部、βは凸部をそれぞれ示す。
【００１２】
まず、図１〜図３を参照しながら本発明の第一実施形態の隠蔽葉書について説明する。図１は本発明の隠蔽葉書の第一実施形態を示す上面から見た斜視図である。図２は図１のＸ−Ｘ線断面図であって、図２（ａ）には全体の断面図を示し、図２（ｂ）には図２（ａ）の破線で示した円内の部分拡大断面図を示し、図３は図２の断面図において隠蔽用紙片の上に剥離剤層が設けられ、接着剤層が重ねられる前の状態を取り出し剥離剤層面から見た平面図であってハーフカットを説明するための説明図である。図１、図２に示すように本発明の第一実施形態の隠蔽葉書１は、基紙２の略中央に設けられた折目線３を介して葉書本体片１０と隠蔽用紙片２０とが連接して配置されている。葉書本体片１０と隠蔽用紙片２０とは、それぞれ葉書サイズの寸法を有しており、折目線３で二つに折り畳むと、二つ折りされた大きさが葉書寸法となるように構成されている。
【００１３】
また、図１に示すように、隠蔽用紙片２０の上には透明性シート２１と、剥離紙２２とが順次重ねられ、剥離紙２２の表面には、隠蔽葉書１の使用説明や剥離箇所等の文字、記号、絵柄等が印刷されている。図２（ａ）に示すように、隠蔽用紙片２０の上には剥離剤層２３と、接着剤層２４と、上面に透明な粘着剤層２５を有する透明性シート２１と、剥離紙２２とが順次重ねられ、剥離剤層２３と接着剤層２４及び粘着剤層２５と剥離紙２２とが剥離可能な状態で重ね合わされている。さらに、透明性シート２１の下面側の折目線３側の側端縁部に、透明性シート２１の下面の一部と、隠蔽用紙片２０の上面の一部とを直接接着する第一強接着部２６が折目線３に沿って設けられている。第一強接着部２６を設けることにより、隠蔽葉書１の使用者が、剥離紙２２を剥離する際に剥離紙２２の折目線３側の隅部より指で剥離紙２２を捲りあげたときに、透明性シート２１の下面と、隠蔽用紙片２０の上面が直接接着されているために隠蔽用紙片２０から透明性シート２１が誤って剥離されないように保護されている。また、第一強接着部２６は接着剤層２４を設ける際に、同じ接着剤を用いて一体の接着剤層としてもよい。
【００１４】
さらに、図２（ｂ）、図３に示すように、透明性シート２１の下面側の折目線３と対向する側端縁４から折目線３側に所定長さ寄った位置で、且つ、上端縁５及び下端縁６より内側に寄った位置に、透明性シート２１の下面の一部と、隠蔽用紙片２０の上面の一部とを直接接着する第二強接着部２７が設けられ、該第二強接着部２７の周縁に剥離剤層２３側から基紙２の一部に達する第一ハーフカット２８が施されている。さらに第二強接着部２７の周縁に施された第一ハーフカット２８で囲まれた領域内に第二強接着部２７を跨ぎ第一ハーフカット２８間を連結する複数の第二ハーフカット２９が側端縁４から折目線３に向かって下降する方向に斜めに剥離剤層２３側から基紙２の一部に達するように形成されている。
【００１５】
また、第二ハーフカット２９は、必須ではないが、隠蔽状態の隠蔽葉書を開封した際の強接着部の紙破れ小片が第一ハーフカット２８で囲まれた領域外にはみ出すことがなく、より一層優れたトラップ効果が得られるので好ましい。通常、隠蔽状態の隠蔽葉書の開封は角部７、あるいは角部８より開封されるものであり、第二ハーフカット２９は開封方向に対して直角に近づくように設けるほうがトラップ効果が大きくなるので好ましい。通常、第二ハーフカット２９の延長線と下端縁６と交差してなす角度が３０〜６０°である。なお、後述するが第一実施形態に示した隠蔽葉書１の開封方向は、隠蔽された隠蔽葉書を角部７より折目線３の方向（図３に示す矢印の方向）に向かって捲り上げて開封する例を示すものである。また、第二ハーフカット２９は、第二強接着部２７を跨いでいればよく、必ずしも第一ハーフカット２８に連結されていなくてもよい。また第二ハーフカット２９のハーフカット間の最短距離は通常３〜１０ｍｍで第二強接着部２７の側端縁４から折目線３に向かう方向の長さにより適宜決められるものである。
【００１６】
また、第二強接着部２７は上端縁５及び下端縁６より内側に寄った位置に設け、さらに第一実施形態は角部７を開封口とするために図３に示すように上端縁５と第二強接着部２７との間隔ａに比べ下端縁６と第二強接着部２７との間隔ｂの方が大きくより内側に寄せて角部７を摘みやすい構成としている。また、隠蔽葉書の製造工程において、通常は連続ウェブとなった基紙に上端縁５と下端縁６との方向に隠蔽葉書が連続して配設されるために、第二強接着部２７を上端縁５より内側に寄せることにより、次の隠蔽葉書の角部７近傍に第二強接着部２７が位置ずれして一部はみ出して形成されることが防止できる。開封口となる角部７近傍に第二強接着部２７の一部がはみ出して形成されると開封がし辛くなることは言うまでもない。
【００１７】
また、図１、図３に示すように葉書本体片１０の表面には情報記入欄１１が設けられ図示しないが必要な記入項目や所定事項記入欄等が印刷されている。
【００１８】
次に、図２を参照しながら本発明の隠蔽葉書１に使用される材料について説明する。基紙２には上質紙、カード紙、コート紙、クレーコート紙、クラフト紙、合成紙等が使用でき、坪量及び大きさは、日本郵政公社が郵便法の規定に基づき定める「内国郵便約款」の範囲で任意に選定できる。剥離紙２２には上質紙、クラフト紙、コート紙、グラシン紙等が使用でき、さらに、少なくとも粘着剤層２５と接する側の面にシリコン系あるいはアクリル系樹脂等が印刷あるいはコーティングされてなる剥離層が設けられている。粘着剤層２５に用いる粘着剤には、アクリル系樹脂、ゴム系樹脂等を用いた一般の粘着剤等が使用できる。透明性シート２１に用いられる透明性基材には、グラシン紙等の透明性のある紙やプラスチックフィルムや不織布が用いられるが、廃棄性、分別回収性の面からグラシン紙等の紙基材が望ましい。接着剤層２４に用いる接着剤には、酢酸ビニル系やアクリル系やあるいはその混合系や合成ゴム系等の合成樹脂エマルジョンタイプ等の接着剤が用いられる。第一強接着部２６及び第二強接着部２７に用いられる接着剤には、酢酸ビニル系や合成ゴム系等の合成樹脂エマルジョンタイプ、あるいはポバール、デキストリン、にかわ等の再湿タイプを用いることができる。剥離剤層２３に用いられる剥離剤としてはウレタンアクリレート、アクリレート等を主成分とする紫外線硬化型のＵＶインキ等が使用でき、全面ベタ若しくはパターン状にオフセット印刷、活版印刷等により形成される。なお、ＵＶインキにシリコン系の材料を適宜、添加して剥離性のコントロールをしてもよい。
【００１９】
次に図１、図４〜７を参照しながら本発明の隠蔽葉書１の使用方法を説明する。図４、図５、図６は、図１のＸ−Ｘ線断面図に相当し本発明の隠蔽葉書１の使用方法を説明する図である。まず、隠蔽葉書１の使用者は、図１に示すように、隠蔽葉書１を見開き状態にして、葉書本体片１０の表面の情報記入欄１１に設定されている所定事項記入欄に必要事項をボールペン等の筆記具で記入する。
【００２０】
その後、図４に示すように剥離紙２２を剥がして、粘着剤層２５を露出させて、折目線３で二つ折りにし、粘着剤層２５の面と葉書本体片１０の表面に設けられた情報記入欄１１の面とを接着することにより、記入事項が隠蔽され、図５に示す状態にされる。そして、単体葉書として投函すればよい。
【００２１】
次に、この隠蔽葉書１を受取った受取人は、隠蔽用紙片２０の開封口となる角部７を摘んで、隠蔽用紙片２０に設けられている剥離剤層２３と接着剤層２４との接着界面から剥離させる。そして第二強接着部２７に達すると第二強接着部２７には剥離剤層２３がなく透明性シート２１と隠蔽用紙片２０が直接接着されているので第一ハーフカット２８で囲まれた領域内では基紙２が層間剥離し、第二強接着部２７を通過すると再び、接着剤層２４と剥離剤層２３との接着界面で剥離され、そして、図６、図７に示すように隠蔽用紙片２０と葉書本体片１０とを剥がして見開き状態とすることにより、葉書本体片１０の情報記入欄１１に記入された内容を透明性シート２１を透して読み取ることができる。隠蔽用紙片２０の側端縁４近傍の第一ハーフカット２８で囲まれた領域には剥離剤層２３と基紙２の層間剥離された紙破れ小片が接着剤層２４と共に葉書本体片１０に転着するために、凹部αが形成され、転着された葉書本体片１０の側端縁９の近傍には凸部βが形成される。このように隠蔽葉書１を開封すると凹部αや凸部βが形成されるために、開封した証拠となる痕跡が明確に残り優れたセキュリティー性が得られるものである。さらに、第一ハーフカット２８で囲まれた領域内に設けた第二ハーフカット２９により、基紙２の層間剥離して形成された紙破れ小片が途切れるためにより優れたトラップ効果が得られる。
【００２２】
図８は本発明に係る隠蔽葉書の第二実施形態を示す斜視図、図９は図８のＸ−Ｘ線断面図であって、本発明に係る隠蔽葉書の第二実施形態を示す図２に相当する断面図である。本発明に係る第二実施形態の隠蔽葉書１’は、葉書本体片の上に複写可能な上側用紙片が重ねられ、その端部と葉書本体片の端部とが接着されている構成である。その他は第一実施形態と同じであり、同じ符号を付して説明を省略する。本発明に係る第二実施形態の隠蔽葉書１’は、図８、図９に示すように下面に複写層３１を有する葉書本体片１０’と略同サイズの上側用紙片３０が、葉書本体片１０’の上に重ねられ、上側用紙片３０の上端部及び右側端部と葉書本体片１０’の上端部及び右側端部とを揃えて重ねられ、該上端部には上端部より後退させた両隅近傍に２箇所のスポット接着部３２を設け、該スポット接着部３２で接着されている。上側用紙片３０の表面には情報記入欄３３が設けられ図示しないが必要な記入項目や所定事項記入欄等が印刷されている。葉書本体片１０’の表面には図示しないが、上側用紙片３０の情報記入欄３３の所定事項記入欄の位置に合せて記入項目や所定事項複写欄が設けられている。上側用紙片３０と葉書本体片１０’とは上端部、側端部、下端部のいずれかで接着すればよいものであるが上端部で接着するのが好ましく、隠蔽葉書の使用者が上側用紙片３０に通知情報を記入する際に、上側用紙片３０が葉書本体片１０’からずれることがなく記入が容易になるものである。このように上側用紙片３０を備えることにより、隠蔽葉書の使用者は、上側用紙片３０に所定の通知情報を記入した後、該上側用紙片３０を葉書本体片１０から取外すと容易に控えとでき、便利性を与えると共に控えのとり忘れも防止できるという効果を奏するものである。
【００２３】
また、上側用紙片３０には上質紙、薄葉紙等が使用できる。上側用紙片３０の下面に設けられた複写層３１には公知の複写用カーボンインキ等が使用でき、全面ベタ若しくはパターン状にオフセット印刷、活版印刷等により形成することができる。スポット接着部３２に用いられる接着剤には、酢酸ビニル系や合成ゴム系等の合成樹脂エマルジョンタイプ、あるいはポバール、デキストリン、にかわ等の再湿タイプを用いることができる。
【００２４】
第二実施形態の隠蔽葉書１’の使用に際しては、まず、隠蔽葉書１’の使用者は、図８に示すように、隠蔽葉書１’を見開き状態にして、上側用紙片３０の表面の情報記入欄３３に設定されている所定事項記入欄に必要事項をボールペン等の筆記具で記入し、記入後、上側用紙片３０を葉書本体片１０から引き剥がし、控えとして保管する。そして、葉書本体片１０の表面に設けられた所定事項複写欄に記入内容が複写されていることを確認する。その後は第一実施形態と同じ要領で使用される。
【図面の簡単な説明】
【００２５】
【図１】本発明に係る隠蔽葉書の第一実施形態を示す斜視図である。
【図２】図１のＸ−Ｘ線断面図である。
【図３】隠蔽用紙片の上に剥離剤層が設けられた状態の剥離剤層面から見た平面図であってハーフカットを示す説明図である。
【図４】本発明に係る第一実施形態の隠蔽葉書の剥離紙の一部を剥離した状態を示す断面図である。
【図５】本発明に係る第一実施形態の隠蔽葉書を接着して形成させた隠蔽葉書の断面図である。
【図６】本発明に係る第一実施形態の隠蔽葉書を受取った受取人が隠蔽葉書を見開いた状態を説明するための断面図である。
【図７】本発明に係る第一実施形態の隠蔽葉書を受取った受取人が隠蔽葉書を見開いた状態を説明するための斜視図である。
【図８】本発明に係る隠蔽葉書の第二実施形態を示す斜視図である。
【図９】図８のＸ−Ｘ線断面図である。
【符号の説明】
【００２６】
１、１’                                隠蔽葉書
２                                      基紙
３                                      折目線
４、９                                  側端縁
５                                      上端縁
６                                      下端縁
７、８                                  角部
１０、１０’                            葉書本体片
１１                                    情報記入欄
２０                                    隠蔽用紙片
２１                                    透明性シート
２２                                    剥離紙
２３                                    剥離剤層
２４                                    接着剤層
２５                                    粘着剤層
２６                                    第一強接着部
２７                                    第二強接着部
２８                                    第一ハーフカット
２９                                    第二ハーフカット
３０                                    上側用紙片
３１                                    複写層
３２                                    スポット接着部
３３                                    情報記入欄
ａ                                      上端縁と第二強接着部との間隔
ｂ                                      下端縁と第二強接着部との間隔
α                                      凹部
β                                      凸部
【図１】
0004941241.tif 000002
【図２】
0004941241.tif 000003
【図３】
0004941241.tif 000004
【図４】
0004941241.tif 000005
【図５】
0004941241.tif 000006
【図６】
0004941241.tif 000007
【図７】
0004941241.tif 000008
【図８】
0004941241.tif 000009
【図９】
0004941241.tif 000010